(57)【要約】【課題】施工性及びパネル体の再利用性を向上し得る内装壁装置、内装壁構造及び内装壁施工方法を提供する。【解決手段】四方枠状とされた金属製の芯材１１の少なくともパネル厚さ方向一方面に面材１９が固定されたパネル体１０と、パネル幅方向に長尺状とされ、前記パネル体の上端部１３を天井側に固定する上端固定部材２０と、パネル幅方向に長尺状とされ、前記パネル体の下端部１５を床側に固定する下端固定部材２３と、を備えており、前記上端固定部材及び前記下端固定部材には、天井側及び床側に固定される平板状の固定片部２１，２４のパネル厚さ方向一方側端部から上下方向に沿う方向に突出し、前記パネル体の上下端部が当接される位置決め片部２２，２５が設けられている。【選択図】図１
2017082577.tif 000002
【特許請求の範囲】
【請求項１】
四方枠状とされた金属製の芯材の少なくともパネル厚さ方向一方面に面材が固定されたパネル体と、パネル幅方向に長尺状とされ、前記パネル体の上端部を天井側に固定する上端固定部材と、パネル幅方向に長尺状とされ、前記パネル体の下端部を床側に固定する下端固定部材と、を備えており、
前記上端固定部材及び前記下端固定部材には、天井側及び床側に固定される平板状の固定片部のパネル厚さ方向一方側端部から上下方向に沿う方向に突出し、前記パネル体の上下端部が当接される位置決め片部が設けられていることを特徴とする内装壁装置。
【請求項２】
請求項１において、
前記上端固定部材及び前記下端固定部材は、合成樹脂系材料から形成され、かつそれぞれの固定片部の前記パネル体側に向く面に、止具止着箇所の目印溝を全長に亘って設けた構造とされていることを特徴とする内装壁装置。
【請求項３】
請求項１または２において、
前記パネル体の面材は、前記芯材の上下端部が露出するように固定されており、
前記上端固定部材及び前記下端固定部材の位置決め片部は、前記パネル体の上下端部の露出した芯材に当接される構成とされ、かつパネル厚さ方向に沿う寸法が前記パネル体の面材の厚さ寸法と同寸法とされていることを特徴とする内装壁装置。
【請求項４】
パネル幅方向に長尺状とされ、平板状の固定片部のパネル厚さ方向一方側端部から下方側に向けて突出する位置決め片部が設けられた上端固定部材が天井側に固定され、パネル幅方向に長尺状とされ、平板状の固定片部のパネル厚さ方向一方側端部から上方側に向けて突出する位置決め片部が設けられた下端固定部材が床側に固定され、四方枠状とされた金属製の芯材の少なくともパネル厚さ方向一方面に面材が固定されたパネル体の上端部及び下端部を、前記上端固定部材及び前記下端固定部材の位置決め片部にそれぞれ当接させて該パネル体が固定されていることを特徴とする内装壁構造。
【請求項５】
請求項４において、
前記上端固定部材は、前記位置決め片部が天井パネルの表面から突出しないように固定され、前記パネル体の面材の上端と前記天井パネルとの間において露出する芯材を覆うように、前記面材と同厚さで同種ボードからなる補助面材が固定されていることを特徴とする内装壁構造。
【請求項６】
請求項４において、
前記上端固定部材は、パネル厚さ方向に沿う寸法が前記パネル体の面材の厚さ寸法と同寸法とされた前記位置決め片部が天井パネルの表面よりも下方側に向けて突出するように固定され、前記パネル体の面材の上端と前記位置決め片部との間において露出する芯材を覆うように、前記面材と同厚さで同種ボードからなる補助面材が固定されており、
前記パネル体の面材及び前記補助面材の表面並びに前記位置決め片部における天井パネルよりも下方側に露出する表面に一連状に表面化粧シートが貼着されていることを特徴とする内装壁構造。
【請求項７】
パネル幅方向に長尺状とされ、平板状の固定片部のパネル厚さ方向一方側端部から下方側に向けて突出する位置決め片部が設けられた上端固定部材を天井側に固定する工程と、
パネル幅方向に長尺状とされ、平板状の固定片部のパネル厚さ方向一方側端部から上方側に向けて突出する位置決め片部が設けられた下端固定部材を床側に固定する工程と、
四方枠状とされた金属製の芯材の少なくともパネル厚さ方向一方面に面材が固定されたパネル体の上端部及び下端部を、前記上端固定部材及び前記下端固定部材の位置決め片部にそれぞれ当接させて該パネル体を固定する工程と、
を備えていることを特徴とする内装壁施工方法。
【請求項８】
請求項７において、
前記上端固定部材の位置決め片部と前記下端固定部材の位置決め片部とがパネル厚さ方向で一致する位置となるように前記上端固定部材及び前記下端固定部材を固定し、前記パネル体の上端部及び下端部を、前記上端固定部材及び前記下端固定部材の位置決め片部にそれぞれ当接させて該パネル体を固定することを特徴とする内装壁施工方法。
【請求項９】
請求項７または８において、
対向配置される側となるパネル幅方向一方側端部の芯材を露出させるように面材が固定された二枚のパネル体を、パネル幅方向に間隔を空けて配設した後、これら二枚のパネル体間に架け渡すように、かつこれらパネル体のパネル幅方向一方側端部の露出した芯材を覆うように面材を固定することを特徴とする内装壁施工方法。
【発明の詳細な説明】
【技術分野】
【０００１】
本発明は、内装壁装置、内装壁構造及び内装壁施工方法に関する。
【背景技術】
【０００２】
従来の一般的な建物の内装壁は、木軸や鉄骨等の壁下地に内装ボードを固定した構造とされていた。このような構造では、壁下地の施工に手間が掛かったり、ばらつきが生じたりし易く、また、施工後の移設等も困難であった。
例えば、下記特許文献１には、天井面及び床面に固着される断面Ｌ字状のランナー本体の起立する支持板に、複数本の間柱の表裏面に石膏ボードが固定された壁パネル体の上下に突出した間柱を係止させて固定する壁の施工法が開示されている。
【先行技術文献】
【特許文献】
【０００３】
【特許文献１】特開昭６２−１４８７４９号公報
【発明の概要】
【発明が解決しようとする課題】
【０００４】
しかしながら、上記特許文献１に記載された壁の施工法では、壁パネル体が平面視して湾曲状に反り易くなったり、施工する際や移設する際に損傷し易くなることが考えられ、更なる改善が望まれる。
【０００５】
本発明は、上記実情に鑑みてなされたものであり、施工性及びパネル体の再利用性を向上し得る内装壁装置、内装壁構造及び内装壁施工方法を提供することを目的としている。
【課題を解決するための手段】
【０００６】
上記目的を達成するために、本発明に係る内装壁装置は、四方枠状とされた金属製の芯材の少なくともパネル厚さ方向一方面に面材が固定されたパネル体と、パネル幅方向に長尺状とされ、前記パネル体の上端部を天井側に固定する上端固定部材と、パネル幅方向に長尺状とされ、前記パネル体の下端部を床側に固定する下端固定部材と、を備えており、前記上端固定部材及び前記下端固定部材には、天井側及び床側に固定される平板状の固定片部のパネル厚さ方向一方側端部から上下方向に沿う方向に突出し、前記パネル体の上下端部が当接される位置決め片部が設けられていることを特徴とする。
【０００７】
また、上記目的を達成するために、本発明に係る内装壁構造は、パネル幅方向に長尺状とされ、平板状の固定片部のパネル厚さ方向一方側端部から下方側に向けて突出する位置決め片部が設けられた上端固定部材が天井側に固定され、パネル幅方向に長尺状とされ、平板状の固定片部のパネル厚さ方向一方側端部から上方側に向けて突出する位置決め片部が設けられた下端固定部材が床側に固定され、四方枠状とされた金属製の芯材の少なくともパネル厚さ方向一方面に面材が固定されたパネル体の上端部及び下端部を、前記上端固定部材及び前記下端固定部材の位置決め片部にそれぞれ当接させて該パネル体が固定されていることを特徴とする。
【０００８】
また、上記目的を達成するために、本発明に係る内装壁施工方法は、パネル幅方向に長尺状とされ、平板状の固定片部のパネル厚さ方向一方側端部から下方側に向けて突出する位置決め片部が設けられた上端固定部材を天井側に固定する工程と、パネル幅方向に長尺状とされ、平板状の固定片部のパネル厚さ方向一方側端部から上方側に向けて突出する位置決め片部が設けられた下端固定部材を床側に固定する工程と、四方枠状とされた金属製の芯材の少なくともパネル厚さ方向一方面に面材が固定されたパネル体の上端部及び下端部を、前記上端固定部材及び前記下端固定部材の位置決め片部にそれぞれ当接させて該パネル体を固定する工程と、を備えていることを特徴とする。
【発明の効果】
【０００９】
本発明に係る内装壁装置、内装壁構造及び内装壁施工方法は、上述のような構成としたことで、施工性及びパネル体の再利用性を向上させることができる。
【図面の簡単な説明】
【００１０】
【図１】本発明の一実施形態に係る内装壁装置の一例及び内装壁構造の一例を模式的に示す一部破断概略縦断面図である。
【図２】（ａ）は、同内装壁装置が備えるパネル体の一例を模式的に示す一部破断概略正面図、（ｂ）〜（ｄ）は、同内装壁装置が備えるパネル体の一例をそれぞれ模式的に示す一部破断概略横断面図である。
【図３】（ａ）、（ｂ）は、本発明の一実施形態に係る内装壁施工方法の一例をそれぞれ模式的に示す一部破断概略縦断面図である。
【図４】（ａ）、（ｂ）は、同内装壁施工方法の一例をそれぞれ模式的に示す一部破断概略縦断面図である。
【図５】同内装壁施工方法の一例をそれぞれ模式的に示す一部破断概略横断面図である。
【図６】同内装壁装置及び同内装壁構造の一例を模式的に示す一部破断概略横断面図である。
【図７】同内装壁装置及び同内装壁構造の一変形例を模式的に示す一部破断概略縦断面図である。
【図８】本発明の他の実施形態に係る内装壁装置の一例及び内装壁構造の一例を模式的に示す一部破断概略縦断面図である。
【図９】（ａ）、（ｂ）は、本発明の他の実施形態に係る内装壁施工方法の一例をそれぞれ模式的に示す一部破断概略縦断面図である。
【図１０】同内装壁装置及び同内装壁構造の一変形例を模式的に示す一部破断概略縦断面図である。
【図１１】本発明の更に他の実施形態に係る内装壁装置の一例及び内装壁構造の一例を模式的に示す一部破断概略縦断面図である。
【図１２】同内装壁装置及び同内装壁構造の一変形例を模式的に示す一部破断概略縦断面図である。
【図１３】図８に示す実施形態に係る内装壁装置及び内装壁構造の一変形例を模式的に示す一部破断概略縦断面図である。
【図１４】図８に示す実施形態に係る内装壁装置及び内装壁構造の他の変形例を模式的に示す一部破断概略縦断面図である。
【図１５】図１１に示す実施形態に係る内装壁装置及び内装壁構造の一変形例を模式的に示す一部破断概略縦断面図である。
【図１６】図１１に示す実施形態に係る内装壁装置及び内装壁構造の他の変形例を模式的に示す一部破断概略縦断面図である。
【発明を実施するための形態】
【００１１】
以下に本発明の実施の形態について、図面に基づいて説明する。
なお、一部の図では、他図に付している詳細な符号の一部を省略している。
また、以下の各実施形態では、内装壁装置を設置した状態を基準として、上下方向等の方向を説明する。
【００１２】
図１〜図７は、第１実施形態に係る内装壁装置、内装壁構造及び内装壁施工方法の一例及び変形例を模式的に示す図である。
本実施形態に係る内装壁装置１は、図１及び図２に示すように、四方枠状とされた金属製の芯材１１の少なくともパネル厚さ方向一方面に面材１９が固定されたパネル体１０を備えている。また、内装壁装置１は、パネル幅方向に長尺状とされ、パネル体１０の上端部１３を天井側に固定する上端固定部材２０と、パネル幅方向に長尺状とされ、パネル体１０の下端部１５を床側に固定する下端固定部材２３と、を備えている。これら上端固定部材２０及び下端固定部材２３には、天井側及び床側に固定される平板状の固定片部２１，２４のパネル厚さ方向一方側端部から上下方向に沿う方向に突出し、パネル体１０の上下端部１３，１５が当接される位置決め片部２２，２５が設けられている。
【００１３】
この内装壁装置１の施工対象となる建物としては、戸建住宅や集合住宅等の住宅に限られず、商業施設や公共施設等の他の建物等としてもよく、当該内装壁装置１は、種々の箇所に設置可能である。
また、この内装壁装置１の天井側の固定対象２、つまり、上端固定部材２０の固定対象２は、天井下地でもよく、天井パネル（３）でもよいが、図例では、天井下地２としている。このような天井下地２としては、ＬＧＳ（軽量形鋼）等の鋼製下地や、木造下地でもよく、例えば、ハンガー（吊木）に支持された野縁受に固定された野縁としてもよく、さらには、天井スラブとしてもよい。
【００１４】
また、内装壁装置１の床側の固定対象４，５、つまり、下端固定部材２３の固定対象４，５は、床下地でもよく、床材（７）でもよいが、図例では、床下地４，５としている。このような床下地４，５としては、ＬＧＳ（軽量形鋼）等の鋼製下地や、木造下地でもよく、例えば、根太や床下地ボード等としてもよく、さらには、床スラブとしてもよい。図例では、床スラブ等に設けられた支持脚（アジャスター）６に、床下地ボード４，５を支持させた二重床構造とした例を示している。床側の固定対象を、このような二重床構造の床下地４，５とし、天井側の固定対象を、上記のような吊天井構造の天井下地２とすれば、間取り変更等に容易かつ柔軟に対応することができる。
また、二枚の床下地ボード４，５を積層した例を示している。このような床下地ボード４，５としては、合板やＬＶＬ（単板積層材）等の木質積層板や、パーティクルボード等の木質ボードなどのベースボード５及びこのベースボード５に積層される補強ボード４としてもよい。また、補強ボード４としては、無機質材を主原料とする不燃ボードや表裏にガラス繊維等の強化クロス（不織布）を貼着した構成とされたものとしてもよい。当該内装壁装置１の天井側及び床側の固定対象２，４，５としては、その他、種々の変形が可能である。
【００１５】
パネル体１０は、図２に示すように、略矩形平板状とされている。このパネル体１０の上下寸法は、床下地４から天井下地２までの上下寸法（天井高）に応じて、適宜の寸法とされたものとしてもよく、例えば、２０００ｍｍ〜３０００ｍｍ程度としてもよい。また、このパネル体１０の上下寸法は、床側に固定された下端固定部材２３の固定片部２４から天井側に固定された上端固定部材２０の固定片部２１までの上下方向に沿う寸法に応じた寸法としてもよい。
また、このパネル体１０の幅寸法は、取扱性や施工性等の観点から適宜の寸法とされたものとしてもよく、例えば、１５０ｍｍ〜１５００ｍｍ程度としてもよい。
また、上下寸法及び幅寸法のうちの両方または一方を異ならせた複数種の規格化されたパネル体１０を備えた構成としてもよい。例えば、１５０ｍｍ等の所定寸法を整数倍した幅寸法の面材１９をパネル厚さ方向の少なくとも一方面にそれぞれに設けた複数種のパネル体１０を備えた構成としてもよい。
【００１６】
芯材１１は、図１及び図２（ａ）、（ｂ）に示すように、パネル幅方向に延びる上枠１２及び下枠１４と、上下方向に延びるパネル幅方向両側の縦枠１６，１６と、を備えた四方枠状とされている。この芯材１１は、ＬＧＳ（軽量形鋼）等の金属系形材を枠組みして形成されたものとしてもよい。本実施形態では、上枠１２及び下枠１４を、互いに向き合う方向に開口する長手方向に見て略コ字状（略Ｕ字状）とされた溝形鋼状（チャンネル状）のものとし、一対の縦枠１６，１６を、四角筒形状とされたものとしている。このような構成とすれば、芯材１１（パネル本体１０）の軽量化を図ることができる。また、これら縦枠１６，１６の上下端部が上枠１２及び下枠１４の長手方向両端部に嵌め入れられて枠組みされた芯材１１を例示している。
一対の縦枠１６，１６のパネル厚さ方向に沿う寸法やパネル幅方向に沿う寸法は、例えば、一般的な間柱（スタッド）等と同程度の寸法としてもよい。
【００１７】
なお、上記のような態様に代えて、四角筒形状とされた上枠１２及び下枠１４と一対の縦枠１６，１６とが溶接等によって接合された構成とされた芯材１１としてもよい。また、上枠１２、下枠１４及び一対の縦枠１６，１６を、上記のような溝形状や筒形状とした場合には、溝内や筒内に、ねじやビス、釘等の止具の止着部（捩込部または打込部）となる樹脂材や木材を設けた構成等としてもよい。また、溝形状や筒形状とされた枠材を枠組みした構成とされた芯材１１に限られず、四角柱状の枠材を枠組みした構成とされたものとしてもよい。また、芯材１１としては、枠組み形成されたものに限られず、四方枠状に一体成形されたものとしてもよい。
また、芯材１１としては、上枠１２、下枠１４及び一対の縦枠１６，１６からなる四方枠に加えて、中間縦桟や中間横桟を備えたものや、手摺り等の下地となる金属製等からなる板状下地がパネル厚さ方向両方側または一方側に設けられたものとしてもよい。また、この芯材１１の中空部に、ハニカムコア等のコア材等が充填されたものとしてもよく、グラスウールや発泡材等の吸音材や断熱材等が充填されたものとしてもよい。
【００１８】
この芯材１１の少なくともパネル厚さ方向一方面に固定された面材１９は、一般的な壁下地ボードでもよく、例えば、石膏ボード（プラスターボード）でもよい。なお、面材１９としては、上記同様の木質積層板や木質ボードでもよく、さらにはインシュレーションボードやＭＤＦ（中密度繊維板）、ハードボード等の木質繊維板でもよい。
この面材１９の厚さ寸法は、一般的な壁下地ボードの厚さ寸法と同程度の寸法としてもよく、例えば、５ｍｍ〜２５ｍｍ程度としてもよく、９．５ｍｍや１２．５ｍｍのように規格化された寸法としてもよい。
本実施形態では、芯材１１のパネル厚さ方向両面に面材１９，１９が固定されたパネル体１０を備えた構成としている。つまり、パネル体１０は、中空部を構成する芯材１１の両側に面材１９，１９を設けたフラッシュパネル状とされている。これら面材１９，１９は、芯材１１に対して上記同様の止具や、接着剤等によって固定されたものとしてもよい。また、このパネル体１０は、工場等の施工現場外において予めパネル化されたものとしてもよい。
【００１９】
また、本実施形態では、図１及び図２（ａ）に示すように、パネル体１０の面材１９，１９を、芯材１１の上下端部１３，１５が露出するように固定した構成としている。つまり、面材１９，１９の上下寸法を、芯材１１の上下寸法よりも小としている。また、本実施形態では、パネル厚さ方向両側の面材１９，１９の上下寸法を同寸法とし、パネル厚さ方向の両側において露出する芯材１１の上下端部１３，１５の上下寸法を互いに同寸法としている。また、上端側及び下端側において露出する芯材１１の上端部１３及び下端部１５の上下寸法を互いに同寸法としている。これら上端部１３及び下端部１５の上下寸法は、後記する上下の固定部材２０，２３の位置決め片部２２，２５の上下寸法に応じて適宜の寸法としてもよい。また、これら上端部１３及び下端部１５の上下寸法は、後記するように造作材（廻縁２８及び幅木２９）を設ける場合には、これら上下端部１３，１５が造作材（廻縁２８及び幅木２９）によって覆い隠せるように、造作材（廻縁２８及び幅木２９）の上下方向に沿う寸法よりも小としてもよい。
また、本実施形態では、パネル厚さ方向に見て、面材１９，１９の四周端部が全周に亘って芯材１１の四方枠１２，１４，１６，１６に重なるように面材１９，１９を芯材１１に固定した構成としている。つまり、パネル厚さ方向両側に開口する芯材１１の開口の全体を、両側の面材１９，１９によって覆った構成としている。
【００２０】
また、本実施形態では、図２（ａ），（ｂ）に示すように、パネル体１０の面材１９，１９を、芯材１１のパネル幅方向一方側端部１７が露出するように固定した構成としている。つまり、パネル体１０は、パネル幅方向一方側端部に芯材１１からなる突部１７が形成されるように面材１９，１９を芯材１１に固定した構成とされている。この突部１７は、パネル幅方向一方側に向けて突出するように、かつ上下に延びるように設けられている。また、図例では、突部１７のパネル幅方向に沿う突出寸法を、縦枠１６のパネル幅方向に沿う寸法の１／２程度の寸法とした例を示している。
また、本実施形態では、パネル体１０の面材１９，１９を、パネル幅方向他方側端部に凹部１８が形成されるように芯材１１に固定した構成としている。つまり、パネル体１０は、パネル幅方向他方側端部に凹部１８が形成されるように面材１９，１９を芯材１１よりもパネル幅方向他方側に突出させて固定した構成とされている。この凹部１８は、パネル幅方向他方側に向けて開口するように、かつ上下に延びるように設けられている。
つまりは、パネル体１０は、パネル幅方向一方側に雄実状の突部１７を設け、パネル幅方向他方側に雌実状の凹部１８を設けた構成とされている。この凹部１８のパネル幅方向に沿う深さ寸法は、他のパネル体１０の突部１７の嵌め入れが可能なように適宜の寸法とされている。図例では、この凹部１８の深さ寸法を、上記した突部１７の突出寸法と同寸法とした例を示している。
【００２１】
また、本実施形態では、図２（ｃ）に示すように、パネル幅方向両側端部に、上記同様な雌実状の凹部１８，１８が設けられたパネル体１０Ａを備えた構成としている。また、図２（ｄ）に示すように、パネル幅方向両側端部に、上記同様な雄実状の突部１７，１７が設けられたパネル体１０Ｂを備えた構成としている。パネル幅方向両端側にこのような突部１７や凹部１８が設けられた種々のパネル体１０，１０Ａ，１０Ｂを備えた構成とすることで、これらパネル体１０，１０Ａ，１０Ｂを、間取り等に応じて種々の組み合わせでパネル幅方向に接合したり、開口部や外壁側部位で納めたりすることができる。
また、本実施形態では、図７に示すように、芯材１１のパネル厚さ方向一方面のみに面材１９が固定されたパネル体１０Ｃを備えた構成としている。このようなパネル体１０Ｃを備えた構成とすれば、このパネル体１０Ｃを、集合住宅等の戸境壁や外壁、浴室ユニットの壁パネル等の壁面８に沿わせるようにふかし壁状に好適に配設することができる。このパネル体１０Ｃは、上記同様、芯材１１のパネル厚さ方向一方面の上端部１３及び下端部１５を露出させるように面材１９を固定した構成とされている。なお、このパネル体１０Ｃの面材１９を、上記と概ね同様、芯材１１のパネル幅方向両端部の両方または一方を露出させるように固定したり、芯材１１よりもパネル幅方向両方または一方側に突出させるように固定したりした構成としてもよい。
【００２２】
上端固定部材２０は、図１に示すように、天井下地２に沿うように固定される固定片部２１とパネル体１０の上端部１３が当接される位置決め片部２２とを略直交状に設けた構成とされ、長手方向に見て略Ｌ字状とされている。
下端固定部材２３は、図１に示すように、床下地４に沿うように固定される固定片部２４とパネル体１０の下端部１５が当接される位置決め片部２５とを略直交状に設けた構成とされ、長手方向に見て略Ｌ字状とされている。
これら上下の固定部材２０，２３の長さ寸法は、取扱性や施工性等の観点から適宜の寸法とされたものとしてもよく、例えば、５００ｍｍ〜４０００ｍｍ程度としてもよい。
また、これら上下の固定部材２０，２３のパネル厚さ方向に沿う寸法は、パネル体１０の厚さ寸法以下としてもよく、本実施形態では、厚さ方向両面に面材１９，１９が固定されたパネル体１０の厚さ寸法と略同寸法としている。つまり、これら上下の固定部材２０，２３のパネル厚さ方向に沿う寸法を、パネル体１０の一方の面材１９の表面から他方の面材１９の表面までのパネル厚さ方向に沿う寸法と略同寸法としている。
【００２３】
これら上端固定部材２０及び下端固定部材２３は、合成樹脂系材料または木質系材料から形成されたものとしてもよい。このような構成とすれば、ねじやビス、釘等の止具の止着性（捩込性または打込性）を向上させることができる。合成樹脂系材料としては、合成樹脂系材料に木粉や無機フィラー、相溶化剤、着色剤などを所定の含有割合で含有させた木粉・プラスチック複合材（ＷＰＣ）や、硬質発泡スチレン等の発泡樹脂材料、その他の合成樹脂系材料としてもよい。または、これら上端固定部材２０及び下端固定部材２３を、合成樹脂系材料若しくは金属系材料から形成されたものとしてもよい。このような構成とすれば、これら上端固定部材２０及び下端固定部材２３を、押出成形によって製造することができ、効率的に製造可能で、かつ縦断面形状の寸法精度を向上させることができる。また、これら上端固定部材２０及び下端固定部材２３を、合成樹脂系材料から形成された本体内に金属製の芯材が設けられたものとしてもよい。
本実施形態では、これら上端固定部材２０及び下端固定部材２３を、合成樹脂系材料から形成されたものとしている。
また、本実施形態では、これら上端固定部材２０及び下端固定部材２３を、同一部材としている。このような構成とすれば、取扱性や施工性等を向上させることができる。なお、このような態様に代えて、これら上端固定部材２０と下端固定部材２３とを、形状や寸法等の異なる別部材としてもよい。
【００２４】
これら上下の固定部材２０，２３の固定片部２１，２４は、厚さ方向を上下方向に沿わせて配される略平板状とされている。これら固定片部２１，２４の厚さ寸法は、これら上端固定部材２０及び下端固定部材２３の施工態様や、これらに隣接して配される天井パネル３や床材７の厚さ寸法等に応じて適宜の寸法としてもよい。後記するように、本実施形態に係る内装壁構造では、これら上端固定部材２０及び下端固定部材２３を、天井下地２及び床下地４，５に固定し、これらに天井パネル３及び床材７が隣接して配される構造としている。このような構造とする場合には、これら固定片部２１，２４の厚さ寸法を、天井パネル３や床材７の厚さ寸法と略同寸法としたり、天井パネル３や床材７の厚さ寸法よりも小としたりしてもよい。
【００２５】
また、これら固定片部２１，２４における位置決め片部２２，２５の固定片部２１，２４側に向く面から反位置決め片部側の端面となる先端面までのパネル厚さ方向に沿う寸法（見込寸法）は、パネル体１０の上端面及び下端面（または介在されるスペーサー）が安定的に当接するように適宜の寸法としてもよい。これら固定片部２１，２４のパネル厚さ方向に沿う寸法を、芯材１１のパネル厚さ方向に沿う寸法以上としてもよく、本実施形態では、芯材１１のパネル厚さ方向に沿う寸法に一方の面材１９の厚さ寸法を足し合わせた寸法と略同寸法としている。
また、本実施形態では、図３（ａ）に示すように、これら固定片部２１，２４のパネル体１０側に向く面、つまり、上下の固定部材２０，２３が配設された状態で互いに向き合う面に、止具止着箇所の目印溝２１ａ，２４ａを全長に亘って設けた構造としている。このような構成とすれば、これら上下の固定部材２０，２３を、ねじやビス、釘等の止具によって天井側及び床側に固定する際の作業性を向上させることができる。また、上端固定部材２０及び下端固定部材２３を、押出成形品とすれば、このような目印溝２１ａ，２４ａを全長に亘って容易に設けることができる。
【００２６】
これら固定片部２１，２４の目印溝２１ａ，２４ａは、上下の固定部材２０，２３の長手方向に延びるように、かつ固定片部２１，２４の厚さ方向一方側に向けて開口するように設けられている。図例では、これら目印溝２１ａ，２４ａを、溝長手方向に見て略Ｖ字溝状とした例を示しているが、略Ｕ字溝状や略半円溝状、略矩形溝状等、他の溝形状としてもよい。また、各固定片部２１，２４に、パネル厚さ方向に間隔を空けて互いに平行状に複数本（図例では、２本）の目印溝２１ａ，２４ａを設けた構成としている。なお、このような態様に代えて、各固定片部２１，２４に、単一の目印溝２１ａ，２４ａを設けた構成としてもよい。また、このような目印溝２１ａ，２４ａを固定片部２１，２４に設けた態様に代えて、または加えて、固定片部２１，２４の長手方向に間隔を空けて複数箇所に止具挿通孔を設けた態様としてもよい。さらには、このような目印溝２１ａ，２４ａを設けないようにしてもよい。
【００２７】
上下の固定部材２０，２３の位置決め片部２２，２５は、固定片部２１，２４に対して直交状に立ち上がる（垂れ下がる）ように設けられており、パネル厚さ方向に沿う方向の両面がパネル厚さ方向に沿う方向に向くように配される短手断面略方形状とされている。これら位置決め片部２２，２５のパネル厚さ方向に沿う寸法は、これら上端固定部材２０及び下端固定部材２３の施工態様や、これらの納め態様等に応じて適宜の寸法としてもよい。本実施形態では、これら位置決め片部２２，２５を、パネル体１０の上下端部１３，１５の露出した芯材１１に当接される構成としている。また、これら位置決め片部２２，２５のパネル厚さ方向に沿う寸法を、パネル体１０の面材１９の厚さ寸法と略同寸法としている。つまり、位置決め片部２２，２５の固定片部２１，２４側に向く面に芯材１１の上下端部１３，１５のパネル厚さ方向一方面を当接させた状態で、位置決め片部２２，２５の反固定片部側に向く面と一方側の面材１９の表面とが略同一平面状となる構成としている。このような構成とすれば、例えば、面材１９の上下端部が位置決め片部２２，２５に当接される構成としたものと比べて、上下の固定部材２０，２３の位置決め片部２２，２５を覆うように設けられる造作材（廻縁２８及び幅木２９）を見栄え良く納めることができる。また、造作材（廻縁２８及び幅木２９）を位置決め片部２２，２５に当接させて安定的に配設することもできる。
【００２８】
また、これら位置決め片部２２，２５の上下方向に沿う寸法（固定片部２１，２４のパネル体１０側に向く面からの突出寸法）は、パネル体１０の上下端部１３，１５が安定的に当接可能なように、また、見栄え上の観点等から適宜の寸法としてもよい。これら位置決め片部２２，２５の突出寸法は、芯材１１の上下端面を固定片部２１，２４に当接させた状態で、パネル体１０の面材１９，１９に位置決め片部２２，２５が干渉しないように適宜の寸法としてもよい。つまり、これら位置決め片部２２，２５の突出寸法を、パネル体１０の芯材１１の露出する上下端部１３，１５の上下方向に沿う寸法以下としてもよい。また、後記するように、本実施形態に係る内装壁構造では、これら位置決め片部２２，２５が造作材（廻縁２８及び幅木２９）に覆われる構造としている。このような構造とする場合には、これら位置決め片部２２，２５の突出寸法を、これらの天井パネル３や床材７の室内側に向く面からの突出寸法が造作材（廻縁２８及び幅木２９）の上下方向に沿う寸法よりも小となるように、適宜の寸法としてもよい。
【００２９】
また、本実施形態では、図３（ａ）に示すように、これら位置決め片部２２，２５の反固定片部側に向く面に、上記同様な止具止着箇所の目印溝２２ａ，２５ａを全長に亘って設けた構造としている。このような構成とすれば、上下の固定部材２０，２３に、ねじやビス、釘等の止具によってパネル体１０を固定する際の作業性を向上させることができる。これら目印溝２２ａ，２５ａは、固定片部２１，２４の目印溝２１ａ，２４ａと概ね同様の構成とされ、図例では、各位置決め片部２２，２５に単一の目印溝２２ａ，２５ａを設けた例を示しているが、複数本の目印溝２２ａ，２５ａを設けた構成としてもよい。また、このような目印溝２２ａ，２５ａを位置決め片部２２，２５に設けた態様に代えて、または加えて、位置決め片部２２，２５の長手方向に間隔を空けて複数箇所に止具挿通孔を設けた態様としてもよい。さらには、このような目印溝２２ａ，２５ａを設けないようにしてもよい。
【００３０】
次に、本実施形態に係る内装壁施工方法の一例について図面を参照して説明する。
本実施形態に係る内装壁施工方法は、パネル幅方向に長尺状とされ、平板状の固定片部２１のパネル厚さ方向一方側端部から下方側に向けて突出する位置決め片部２２が設けられた上端固定部材２０を天井側に固定する工程を備えている。また、この内装壁施工方法は、パネル幅方向に長尺状とされ、平板状の固定片部２４のパネル厚さ方向一方側端部から上方側に向けて突出する位置決め片部２５が設けられた下端固定部材２３を床側に固定する工程を備えている。また、この内装壁施工方法は、芯材１１の少なくともパネル厚さ方向一方面に面材１９が固定されたパネル体１０の上端部１３及び下端部１５を、上下の固定部材２０，２３の位置決め片部２２，２５にそれぞれ当接させてパネル体１０を固定する工程を備えている。本実施形態では、同内装壁施工方法を、上記した本実施形態に係る内装壁装置１の施工方法としている。
【００３１】
まず、図３（ａ）に示すように、上端固定部材２０を天井下地２に固定し、下端固定部材２３を床下地４に固定する。これら上下の固定部材２０，２３は、各固定片部２１，２４に設けられた目印溝２１ａ，２１ａ，２４ａ，２４ａに上記同様な止具を止着して（捩じ込んでまたは打ち込んで）固定するようにしてもよく、止具に代えて、または加えて、接着剤を用いて固定するようにしてもよい。また、これら上下の固定部材２０，２３と下地２，４との間に適宜、必要に応じてスペーサーを設けるようにしてもよい。
また、上端固定部材２０の位置決め片部２２と下端固定部材２３の位置決め片部２５とがパネル厚さ方向で一致する位置となるように、これら上下の固定部材２０，２３を固定するようにしてもよい。このような構成とすれば、図３（ｂ）に示すように、パネル体１０を、パネル厚さ方向一方側から上下の固定片部２１，２４に沿わせるように移動させて、その上下端部１３，１５を上下の固定部材２０，２３の各位置決め片部２２，２５に当接させることができる。これにより、例えば、上端固定部材２０の位置決め片部２２と下端固定部材２３の位置決め片部２５とをパネル厚さ方向で異なる位置となるように上下の固定部材２０，２３を固定したものと比べて、位置決めの際の作業性を向上させることができる。
【００３２】
そして、図４（ａ）に示すように、パネル体１０を上下の固定部材２０，２３に固定する。パネル体１０の下端を下端固定部材２３の固定片部２４に当接させた状態で、パネル体１０の上端と上端固定部材２０の固定片部２１との間に隙間が形成されるような場合には、パネル体１０の上端側及び下端側の両方または一方に適宜のスペーサーを介在させるようにしてもよい。また、図例では、上下の固定部材２０，２３の位置決め片部２２，２５が設けられた側から位置決め片部２２，２５を介してパネル体１０の上下端部１３，１５に止具を止着した例を示している。このような構成とすれば、反位置決め片部側から止具を止着した構成と比べて、止具の止着強度を向上させることができる。この場合、各位置決め片部２２，２５に設けられた目印溝２２ａ，２５ａに止具を止着するようにしてもよい。なお、図例では、位置決め片部２２，２５に対して水平状に止具を止着した例を示しているが、固定片部２１，２４にも止着するように止具を斜め状に止着した態様としてもよい。この場合は、天井下地２及び床下地４，５に達するように止具を止着するようにしてもよい。さらには、パネル体１０の上下端部１３，１５の両方または一方を、反位置決め片部側から止着した止具によって上下の固定部材２０，２３に固定する態様としてもよい。
【００３３】
また、本実施形態では、図５及び図６に示すように、複数枚のパネル体１０，１０Ａを組み合わせて建物内の内装壁を構築する構成としている。また、図５及び図６では、複数枚のパネル体１０，１０Ａによって建物内に間仕切状に内装壁を構築した例を示している。
また、本実施形態では、対向配置される側となるパネル幅方向一方側端部１７，１７の芯材１１，１１を露出させるように面材１９，１９が固定された二枚のパネル体１０，１０を、パネル幅方向に間隔を空けて配設する構成としている。また、これら二枚のパネル体１０，１０間に架け渡すように、かつこれらパネル体１０，１０のパネル幅方向一方側端部の露出した芯材１１，１１（１７，１７）を覆うように面材としての後貼面材１９Ａ，１９Ａを固定する構成としている。つまり、互いの突部１７，１７を対向させるように二枚のパネル体１０，１０を間隔を空けて配設し、これら突部１７，１７に後貼面材１９Ａ，１９Ａを固定する構成としている。
【００３４】
上記のような構成とすれば、上記のような幅寸法を異ならせた複数種の規格化されたパネル体１０の組合せによって内装壁を構築できない場合や、各種操作盤や差込接続器等を配設するための加工孔を面材１９Ａに形成する必要がある場合にも、柔軟に対応することができる。つまりは、後貼面材１９Ａ，１９Ａを、規格化されたパネル体１０を割り付けした際の余剰部分の調整用としたり、種々の加工孔形成用として用いることができ、規格化されたパネル体１０を加工する必要性を低減させることができる。なお、これら後貼面材１９Ａ，１９Ａは、パネル体１０，１０Ａの面材１９，１９と同厚さで同種ボードからなるものとしてもよい。また、これら後貼面材１９Ａ，１９Ａは、適宜の止具や接着剤等によって芯材１１，１１の突部１７，１７に固定するようにしてもよい。また、これら後貼面材１９Ａ，１９Ａは、天井パネル３及び床材７の両方若しくは一方を施工する前に固定するようにしてもよく、または、天井パネル３及び床材７の両方若しくは一方を施工した後に固定するようにしてもよい。
【００３５】
また、本実施形態では、パネル幅方向に長尺状とされた上下の固定部材２０，２３に対して複数枚のパネル体１０，１０Ａをパネル幅方向に並べるようにして固定する構成としている。
また、パネル幅方向に隣り合うパネル体１０，１０同士を、突部１７と凹部１８とを嵌合させて直列状に接合する構成としている。これらパネル体１０，１０は、凹部１８側の面材１９，１９と突部１７とを止具や接着剤等によって固定し、接合するようにしてもよい。
また、他のパネル体１０がパネル幅方向一方側に配設されない開口部やコーナー部を構成するパネル体１０の凹部１８に、スペーサー２６を嵌め入れ、このスペーサー２６及び両側の面材１９，１９の端面を覆うようにカバー材２７を固定する構成としている。図例では、カバー材２７を、このカバー材２７のパネル厚さ方向に沿う方向の両端面がパネル体１０の厚さ方向両面と略同一平面状となるように固定した例を示している。これらスペーサー２６及びカバー材２７は、木質系材料や合成樹脂系材料等から形成されたものでもよい。また、カバー材２７は、パネル体１０，１０Ａの面材１９，１９と同種ボードからなるものとしてもよい。また、このカバー材２７のパネル厚さ方向に沿う方向の両端部の両方または一方を、Ｒ面取り状等の面取り形状としたり、カバー材２７のパネル厚さ方向に沿う方向の両端部の両方または一方に、面取り形状とされた別部材を設けた構成としてもよい。また、例えば、このカバー材２７を、戸枠等の開口枠を構成するものとしてもよい。また、床から天井までの開口部ではない場合には、床側や天井側に、腰壁状のパネル体や垂壁状のパネル体を設けるようにしてもよい。
【００３６】
また、パネル体１０，１０同士がコーナー部を形成するように交差する部位では、一方のパネル体１０の厚さ方向一方面に、他方のパネル体１０の凹部１８が設けられた側のパネル幅方向一端面を突き合わせるように配設する構成としている。また、この突き合わせるパネル体１０のパネル幅方向一端側の凹部１８に、スペーサー２６を嵌め入れた構成としている。また、図例では、一方のパネル体１０の凹部１８に嵌め入れられたスペーサー２６の箇所を介して他方のパネル体１０の凹部１８に嵌め入れられたスペーサー２６に止具を止着した例を示している。なお、コーナー部を形成するパネル体１０，１０同士の接合態様としては、このような態様に限られず、種々の変形が可能である。
【００３７】
また、平面視してＴ字状に交差する部位では、二枚のパネル体１０，１０の凹部１８，１８側の端部同士を突き合わせ、これらパネル体１０，１０に跨るように、他のパネル体１０の凹部１８側のパネル幅方向一端面を突き合わせるように配設する構成としている。また、これらＴ字状部を構成する三枚のパネル体１０，１０，１０の各凹部１８，１８，１８にスペーサー２６，２６，２６を嵌め入れ、スペーサー２６，２６，２６に止具を止着してこれらを接合した例を示している。なお、Ｔ字状部を構成するパネル体１０，１０，１０同士の接合態様としては、このような態様に限られず、種々の変形が可能である。例えば、三枚のパネル体１０，１０，１０の突部１７，１７，１７同士を突き合わせるように配設したり、適宜のジョイント部材を介して接合したりしてもよい。さらには、二枚のパネル体１０，１０によってＴ字状部を構成するようにしてもよい。
【００３８】
また、図４に示すように、天井下地２に固定された上端固定部材２０のパネル厚さ方向に沿う方向の両側に天井パネル３，３を配設し、床下地４に固定された下端固定部材２３のパネル厚さ方向に沿う方向の両側に床材７，７を配設するようにしてもよい。また、図１に示すように、天井パネル３，３の室内側に向く面（表面）やパネル体１０，１０Ａの厚さ方向両側の面材１９，１９の表面、後貼面材１９Ａ，１９Ａの表面に、壁紙等の表面化粧シート３０を貼着するようにしてもよい。また、上端固定部材２０のパネル厚さ方向に沿う方向の両側に配設された天井パネル３，３とパネル体１０の上端部１３との入隅部を覆うように、造作材としての廻縁２８，２８を配設するようにしてもよい。また、下端固定部材２３のパネル厚さ方向に沿う方向の両側に配設された床材７，７とパネル体１０の下端部１５との入隅部を覆うように、造作材としての幅木２９，２９を配設するようにしてもよい。これら廻縁２８，２８及び幅木２９，２９は、止具や接着剤等によってパネル体１０や上下の固定部材２０，２３等に固定するようにしてもよい。また、反位置決め片部側に設けられる廻縁２８及び幅木２９とパネル体１０の上下端部１３，１５との間に適宜のスペーサーを設けるようにしてもよい。
【００３９】
また、図７に示すように、集合住宅等の戸境壁や外壁、浴室ユニットの壁パネル等の壁面８に沿わせるようにふかし壁状にパネル体１０Ｃを施工する際も上記と概ね同様にして施工することができる。この例では、上記したパネル厚さ方向一方側のみに面材１９を設けたパネル体１０Ｃを、面材１９が設けられた側が室内側を向き、面材１９が設けられていない側（芯材１１が全面に亘って露出している側）が壁面８側を向くように施工する構成としている。また、この例では、上端固定部材２０の位置決め片部２２と下端固定部材２３の位置決め片部２５とをパネル厚さ方向で異なる位置となるように上端固定部材２０及び下端固定部材２３を固定した構成としている。このような構成とすれば、ふかし壁状にパネル体１０Ｃを施工する場合にも、パネル体１０Ｃの上下端部１３，１５の一方を、位置決め片部２２に押し付けた状態で、パネル体１０Ｃの上下端部１３，１５の他方を、位置決め片部２５側から止着した止具によって固定部材２３に固定することができる。
【００４０】
なお、この場合、一方の固定部材２０の位置決め片部２２の固定片部２１側に向く面から他方の固定部材２３の位置決め片部２５の固定片部２４側に向く面までのパネル厚さ方向に沿う寸法が、パネル体１０Ｃの芯材１１のパネル厚さ方向に沿う寸法に応じた寸法となるように、上下の固定部材２０，２３を位置させるようにしてもよい。
図例では、位置決め片部２２が壁面８側に位置するように上端固定部材２０を固定し、位置決め片部２５が反壁面側に位置するように下端固定部材２３を固定した例を示している。この場合、上端側が反壁面側となるようにパネル体１０を傾斜させた状態で、パネル体１０の下端を下端固定部材２３の固定片部２４に載置し、パネル体１０の上端側を壁面８側に移動させて上端部１３を上端固定部材２０の位置決め片部２２に当接させるようにしてもよい。
【００４１】
なお、上記のような態様に代えて、上記と概ね同様、上下の固定部材２０，２３の位置決め片部２２，２５を、パネル厚さ方向で一致した位置となるように、壁面８側または反壁面側に位置させた態様としてもよい。また、上記したような間仕切を構成する複数枚のパネル体１０，１０Ａを、図７の例のように固定された上下の固定部材２０，２３に対して固定するようにしてもよい。
また、上記と概ね同様、複数枚のパネル体１０Ｃを壁面８に沿わせて直列状に配したり、互いに間隔を空けて配して上記同様な後貼面材を設けた構成としたり、コーナー部が設けられた壁面８に沿わせてコーナー部を形成するように配したりしてもよい。
また、上記と概ね同様、これら上下の固定部材２０，２３の反壁面側に、天井パネル３及び床材７を施工し、これら天井パネル３及び床材７とパネル体１０の上下端部１３，１５との入隅部を覆うように、造作材（廻縁２８及び幅木２９）を配設するようにしてもよい。
【００４２】
なお、上記各施工手順は、一例に過ぎず、各部材の機能を阻害しない限りにおいて別手順で行うようにしてもよく、種々の変形が可能である。また、パネル体１０，１０Ａの凹部１８に嵌め入れられるスペーサー２６は、施工現場において嵌め入れられるものに限られず、例えば、工場等の施工現場外において予め嵌め入れられたものとしてもよい。また、図１では、パネル体１０を、支持脚６とは異なる箇所に配設した例を示しているが、支持脚６上に位置するように配設するようにしてもよい。また、上記した例では、天井高が同一の箇所に複数枚のパネル体１０，１０Ａを施工する例を示しているが、天井側や床側に段差がある箇所に跨るように複数枚のパネル体１０，１０Ａを施工する態様としてもよい。この場合は、上下の固定部材２０，２３や、パネル体１０，１０Ａ、これらの接合態様等を、適宜、必要に応じて変形するようにしてもよい。
【００４３】
上記のように施工された本実施形態に係る内装壁構造は、パネル幅方向に長尺状とされ、平板状の固定片部２１のパネル厚さ方向一方側端部から下方側に向けて突出する位置決め片部２２が設けられた上端固定部材２０が天井側に固定された構造とされている。また、同内装壁構造は、パネル幅方向に長尺状とされ、平板状の固定片部２４のパネル厚さ方向一方側端部から上方側に向けて突出する位置決め片部２５が設けられた下端固定部材２３が床側に固定された構造とされている。また、同内装壁構造は、芯材１１の少なくともパネル厚さ方向一方面に面材１９が固定されたパネル体１０の上端部１３及び下端部１５を、上下の固定部材２０，２３の位置決め片部２２，２５にそれぞれ当接させてパネル体１０が固定された構造とされている。本実施形態では、同内装壁構造を、上記した本実施形態に係る内装壁装置１を用いた構造としている。
【００４４】
また、上端固定部材２０のパネル厚さ方向に沿う方向の両側に配設された天井パネル３，３とパネル体１０の上端部１３との入隅部を覆うように、造作材としての廻縁２８，２８を配設した構造としている。また、本実施形態では、パネル体１０の厚さ方向一方側の廻縁２８を、上端固定部材２０の位置決め片部２２に当接させて配設した構造としている。
また、下端固定部材２３のパネル厚さ方向に沿う方向の両側に配設された床材７，７とパネル体１０の下端部１５との入隅部を覆うように、造作材としての幅木２９，２９を配設した構造としている。本実施形態では、パネル体１０の厚さ方向一方側の幅木２９を、下端固定部材２３の位置決め片部２５に当接させて配設した構造としている。
【００４５】
本実施形態に係る内装壁装置、内装壁構造及び内装壁施工方法は、上述のような構成としたことで、施工性及びパネル体１０の再利用性を向上させることができる。
つまり、四方枠状とされた金属製の芯材１１の少なくともパネル厚さ方向一方面に面材１９が固定されたパネル体１０を備えた構成としている。また、このパネル体１０の上下端部１３，１５が当接される位置決め片部２２，２５が設けられた上下の固定部材２０，２３を備えた構成としている。従って、木軸や鉄骨等で形成された壁下地に内装ボードを固定して内装壁を構成するようなものと比べて、施工性を向上させることができる。つまり、上下の固定部材２０，２３を天井側及び床側に固定した後に、パネル体１０の上下端部１３，１５を位置決め片部２２，２５に当接させることでパネル体１０のパネル厚さ方向の位置決めを容易に行うことができる。
【００４６】
また、パネル幅方向に長尺状とされた上下の固定部材２０，２３に対して複数枚のパネル体１０をパネル幅方向に並べるように施工することができ、これら複数枚のパネル体１０のパネル厚さ方向の位置ずれを抑制することができる。また、これら上下の固定部材２０，２３が固定片部２１，２４と位置決め片部２２，２５とを有した断面略Ｌ字型であるため、例えば、断面略コ字（Ｕ字）型とされたものと比べて、パネル体１０の位置決め時の取り回し性を向上させることができる。また、パネル体１０を、四方枠状とされた金属製の芯材１１の少なくともパネル厚さ方向一方面に面材１９を固定した構成としているので、パネル体１０の反りや損傷等を抑制することができる。また、上下の固定部材２０，２３を上記のような構成としたことも相俟って、内装壁を移設等する際におけるパネル体１０の損傷を抑制でき、また、取り外し性を向上させることができ、パネル体１０の再利用性を向上させることができる。これにより、間取りの変更等に容易かつ柔軟に対応することができる。
【００４７】
次に、本発明に係る他の実施形態について、図面を参照しながら説明する。
図８〜図１０は、第２実施形態に係る内装壁装置、内装壁構造及び内装壁施工方法の一例及び変形例を模式的に示す図である。
なお、上記第１実施形態との相違点について主に説明し、同様の構成については、同一の符号を付し、その説明を省略または簡略に説明する。
【００４８】
本実施形態に係る内装壁装置１Ａは、上端固定部材２０Ａ及びパネル体１０Ｄ（１０Ｅ）の構成が、上記第１実施形態とは主に異なる。
また、本実施形態に係る内装壁構造は、図８及び図１０に示すように、上端固定部材２０Ａを、位置決め片部２２Ａが天井パネル３の表面から突出しないように固定した構造としている。また、同内装壁構造は、パネル体１０Ｄ（１０Ｅ）の面材１９Ｂの上端と天井パネル３との間において露出する芯材１１（上端部１３Ａ）を覆うように、面材１９Ｂと同厚さで同種ボードからなる補助面材１９Ｃを固定した構造としている。このような構造とすれば、補助面材１９Ｃによって、パネル体１０Ｄ（１０Ｅ）の面材１９Ｂの上端と天井パネル３との間を覆うことができる。そのため、上記第１実施形態のように、廻縁２８によって位置決め片部２２やパネル体１０の面材１９の上端や芯材１１の上端部１３を覆うようなものと比べて、すっきりとした外観を呈するものとすることができる。また、パネル体１０Ｄ（１０Ｅ）の面材１９Ｂと同厚さで同種ボードからなる補助面材１９Ｃを固定した構造としているので、これらの表面に壁紙等の表面化粧シート３０を貼着した場合にも、裏写りや伸縮等の変形による境界が目立つようなことを抑制することができる。つまりは、本実施形態では、天井パネル３とパネル体１０Ｄ（１０Ｅ）との入隅部を覆う廻縁を設けずに、天井パネル３と補助面材１９Ｃとによって直交状の入隅部を形成する構造としている。
【００４９】
上端固定部材２０Ａは、本実施形態では、上下方向に沿う寸法が天井パネル３の厚さ寸法以下とされたものとしている。つまり、本実施形態では、固定片部２１Ａの厚さ寸法及び位置決め片部２２Ａの突出寸法を、上記第１実施形態よりも小としている。図例では、固定片部２１Ａの厚さ寸法を、天井パネル３の厚さ寸法の１／２程度とした例を示している。また、上端固定部材２０Ａの天井下地２側に向く面から位置決め片部２２Ａの突出方向先端面（下端面）までの上下方向に沿う寸法を、天井パネル３の厚さ寸法と略同寸法とした例を示している。この位置決め片部２２Ａの突出寸法は、上端固定部材２０Ａの固定片部２１Ａの強度や、パネル体１０Ｄ（１０Ｅ）の上端部１３Ａの位置決め性等の観点から適宜の寸法としてもよい。また、パネル体１０Ｄ（１０Ｅ）の上端部１３Ａの位置決め片部２２Ａに対する上下方向の当接寸法が比較的に小さい場合には、例えば、位置決め片部２２Ａよりも突出させるように、アルミシート等の薄い補助位置決め片を位置決め片部２２Ａのパネル体１０Ｄ（１０Ｅ）側の面に沿わせるように設けた構成としてもよい。また、本実施形態では、上端固定部材２０Ａの位置決め片部２２Ａに上記のような目印溝を設けていない構成としている。
【００５０】
また、本実施形態においても、パネル厚さ方向両側に面材１９Ｂ，１９Ｂが設けられたパネル体１０Ｄとパネル厚さ方向一方側のみに面材１９Ｂが設けられたパネル体１０Ｅとを備えた構成としている。
パネル厚さ方向両側に面材１９Ｂ，１９Ｂが設けられたパネル体１０Ｄは、上記第１実施形態よりも芯材１１の上端部１３Ａを露出させるように面材１９Ｂ，１９Ｂを設けた構成とされている。換言すれば、これら面材１９Ｂ，１９Ｂの上下方向に沿う寸法を、上記第１実施形態よりも小さくしている。このパネル体１０Ｄの芯材１１が露出する上端部１３Ａの上下方向に沿う寸法は、補助面材１９Ｃ，１９Ｃの施工性等の観点から適宜の寸法としてもよい。例えば、この上端部１３Ａの上下方向に沿う寸法を、３０ｍｍ〜２００ｍｍ程度としてもよい。図例では、上端部１３Ａの上下方向に沿う寸法を、芯材１１の上枠１２の上下方向に沿う寸法よりも大とした例を示しているが、芯材１１の上枠１２の上下方向に沿う寸法以下としてもよい。
パネル厚さ方向一方側のみに面材１９Ｂが設けられたパネル体１０Ｅも同様、芯材１１の上端部１３Ａを露出させるように面材１９Ｂを設けた構成とされている。
【００５１】
補助面材１９Ｃは、これらパネル体１０Ｄ，１０Ｅの面材１９Ｂと同一平面状（面一状）となるように、パネル体１０Ｄ，１０Ｅの芯材１１の上端部１３Ａ，１３Ａに固定される。この補助面材１９Ｃの上下方向に沿う寸法は、パネル体１０Ｄ，１０Ｅの面材１９Ｂの上端面から天井パネル３の表面までの上下方向に沿う寸法に応じた寸法となるように適宜の寸法としてもよい。また、パネル体１０Ｄ，１０Ｅの反位置決め片部側の芯材１１の上端部１３Ａ，１３Ａに固定される補助面材１９Ｃの上下方向に沿う寸法は、上端固定部材２０Ａの固定片部２１Ａに当接するような寸法等としてもよい。また、この補助面材１９Ｃは、施工現場において適宜の寸法に加工されたものとしてもよく、工場等の施工現場外において予め適宜の寸法に加工されたものとしてもよい。
【００５２】
次に、本実施形態に係る内装壁施工方法の一例について図面を参照して説明する。
なお、上記第１実施形態との相違点について主に説明し、同様の手順については、その説明を省略または簡略に説明する。
パネル体１０Ｄを間仕切状に施工する際には、図９（ａ）、（ｂ）に示すように、上記同様にして上下の固定部材２０Ａ，２３を天井側及び床側に固定し、これら上下の固定部材２０Ａ，２３に対してパネル体１０Ｄを固定する。なお、図例では、上下の固定部材２０Ａ，２３の位置決め片部２２Ａ，２５を、パネル厚さ方向で一致させた例を示しているが、上記した図７の例のように、パネル厚さ方向で異ならせた態様としてもよい。
【００５３】
また、本実施形態では、図９（ｂ）に示すように、上端固定部材２０Ａの位置決め片部２２Ａの突出寸法が比較的に小さいため、パネル体１０Ｄの上端部１３Ａを固定する止具を固定片部２１Ａに対して斜め状に止着した例を示している。また、パネル体１０Ｄの下端部１５を下端固定部材２３の固定片部２４に載置した状態で、パネル体１０Ｄと上端固定部材２０Ａの固定片部２１Ａとの間に隙間が形成されるような場合には、パネル体１０Ｄの下端側に適宜のスペーサーを介在させるようにしてもよい。このような構成とすれば、上記のような隙間が形成される場合にも、上端固定部材２０Ａの位置決め片部２２Ａに対してパネル体１０Ｄの上端部１３Ａを効果的に当接させることができる。
【００５４】
そして、パネル体１０Ｄの厚さ方向両側の面材１９Ｂ，１９Ｂの上端と天井パネル３，３との間において露出する芯材１１を覆うように、パネル体１０Ｄの上端部１３Ａの厚さ方向両側に補助面材１９Ｃ，１９Ｃを固定する（図８も参照）。これら補助面材１９Ｃ，１９Ｃの固定は、上端固定部材２０Ａのパネル厚さ方向に沿う方向の両側に天井パネル３，３を施工する前でもよく、天井パネル３，３を施工した後でもよい。また、これら補助面材１９Ｃ，１９Ｃは、これらの表面と天井パネル３，３の表面との間に隙間が形成されないように固定するようにしてもよく、隙間が形成された場合には、いわゆるパテ等の隙間充填材を充填するようにしてもよい。
そして、パネル体１０Ｄの面材１９Ｂ，１９Ｂ及び補助面材１９Ｃ，１９Ｃの表面に一連状に表面化粧シート３０，３０を貼着するようにしてもよい。また、天井パネル３，３にも表面化粧シート３０，３０を貼着するようにしてもよい。
【００５５】
また、図１０に示すように、壁面８に沿わせるようにふかし壁状にパネル体１０Ｅを施工する際も上記と概ね同様にして施工することができる。この例では、上記した図７の例と同様、パネル厚さ方向一方側のみに面材１９Ｂを設けたパネル体１０Ｅを、面材１９Ｂが設けられた側が室内側を向き、面材１９Ｂが設けられていない側が壁面８側を向くように施工する構成としている。また、この例では、上記した図７の例と同様、上端固定部材２０Ａの位置決め片部２２Ａと下端固定部材２３の位置決め片部２５とをパネル厚さ方向で異なる位置となるように上端固定部材２０Ａ及び下端固定部材２３を固定した構成としている。また、この例では、パネル体１０Ｅの厚さ方向一方側の面材１９Ｂの上端と天井パネル３との間において露出する芯材１１を覆うように、パネル体１０Ｅの上端部１３Ａの厚さ方向一方側に補助面材１９Ｃを固定した構成としている。
【００５６】
なお、上記のような態様に代えて、上記同様、上下の固定部材２０Ａ，２３の位置決め片部２２Ａ，２５を、パネル厚さ方向で一致した位置となるように壁面８側または反壁面側に位置させた態様としてもよい。
また、本実施形態においても、上記第１実施形態と概ね同様、複数枚のパネル体１０Ｄ（１０Ｅ）を直列状に配したり、互いに間隔を空けて配して上記同様な後貼面材を設けた構成としたり、Ｔ字状部やコーナー部を形成するように配したりしてもよい。
本実施形態に係る内装壁装置、内装壁構造及び内装壁施工方法においても、上記第１実施形態と概ね同様の効果を奏する。
【００５７】
次に、本発明に係る更に他の実施形態について、図面を参照しながら説明する。
図１１及び図１２は、第３実施形態に係る内装壁装置、内装壁構造及び内装壁施工方法の一例及び変形例を模式的に示す図である。
なお、上記各実施形態との相違点について主に説明し、同様の構成については、同一の符号を付し、その説明を省略または簡略に説明する。
【００５８】
本実施形態に係る内装壁装置１Ｂは、上下の固定部材２０Ｂ，２３Ａ及びパネル体１０Ｆ（１０Ｇ）の構成が、上記各実施形態とは主に異なる。
また、本実施形態に係る内装壁構造は、図１１及び図１２に示すように、パネル厚さ方向に沿う寸法がパネル体１０Ｆの面材１９Ｄの厚さ寸法と同寸法とされた位置決め片部２２Ｂが天井パネル３の表面よりも下方側に向けて突出するように上端固定部材２０Ｂを固定した構造とされている。また、同内装壁構造は、パネル体１０Ｆの面材１９Ｄの上端と位置決め片部２２Ｂとの間において露出する芯材１１（上端部１３Ｂ）を覆うように、面材１９Ｄと同厚さで同種ボードからなる補助面材１９Ｆを固定した構造とされている。また、同内装壁構造は、パネル体１０Ｆの面材１９Ｄ及び補助面材１９Ｆの表面並びに位置決め片部２２Ｂにおける天井パネル３よりも下方側に露出する表面２２ｂに一連状に表面化粧シート３０を貼着した構造とされている。このような構造とすれば、上記第２実施形態と比べて、パネル体１０Ｆの上端部１３Ｂと位置決め片部２２Ｂとの上下方向の当接寸法を大きくすることが可能でありながらも、上記第２実施形態と概ね同様、上記第１実施形態のような廻縁２８によって上端側の入隅部を納めるようなものと比べて、すっきりとした外観を呈するものとすることができる。つまり、廻縁を設けずに、天井パネル３と位置決め片部２２Ｂとによって直交状の入隅部を形成する構造としている。また、反位置決め片部側の入隅部も上記第２実施形態と概ね同様、廻縁を設けずに、天井パネル３と補助面材１９Ｅとによって直交状の入隅部を形成する構造としている。
【００５９】
上下の固定部材２０Ｂ，２３Ａは、本実施形態では、上記第１実施形態と同様、同一部材とされている。また、これら上下の固定部材２０Ｂ，２３Ａの固定片部２１，２４及び位置決め片部２２Ｂ，２５Ａの各寸法を、上記第１実施形態と同様の寸法としている。
また、本実施形態では、これら上下の固定部材２０Ｂ，２３Ａの位置決め片部２２Ｂ，２５Ａの表面２２ｂ，２５ｂを、パネル体１０Ｆの面材１９Ｄの表面と同一の表面仕上が施されたものとしている。つまり、これら上下の固定部材２０Ｂ，２３Ａの位置決め片部２２Ｂ，２５Ａの少なくとも表面２２ｂ，２５ｂを、パネル体１０Ｆの面材１９Ｄの表面に設けられた紙材等からなる下地シートと同一の下地シートによって構成している。このような構成とすれば、パネル体１０Ｆの面材１９Ｄ及び補助面材１９Ｆの表面並びに位置決め片部２２Ｂにおける天井パネル３よりも下方側に露出する表面２２ｂに一連状に貼着される表面化粧シート３０を見栄え良く貼着することができ、貼着後に裏写りや境界が目立つようなことを抑制することができる。なお、このような下地シートは、これら上下の固定部材２０Ｂ，２３Ａが成形された後に貼着されたものでもよく、これら上下の固定部材２０Ｂ，２３Ａが押出成形される際に貼着されたものでもよい。また、これら上下の固定部材２０Ｂ，２３Ａの位置決め片部２２Ｂ，２５Ａに、上記同様な目印溝２２ａ，２５ａを設けた構成としてもよく、設けていない構成としてもよい。
【００６０】
また、本実施形態においても、パネル厚さ方向両側に面材１９Ｄ，１９Ｄが設けられたパネル体１０Ｆとパネル厚さ方向一方側のみに面材１９Ｄが設けられたパネル体１０Ｇとを備えた構成としている。
パネル厚さ方向両側に面材１９Ｄ，１９Ｄが設けられたパネル体１０Ｆは、上記第２実施形態よりも芯材１１の上端部１３Ｂを露出させるように面材１９Ｄ，１９Ｄを設けた構成とされている。このパネル体１０Ｆの芯材１１が露出する上端部１３Ｂの上下方向に沿う寸法は、上記第２実施形態と概ね同様、補助面材１９Ｅ，１９Ｆの施工性等の観点から適宜の寸法としてもよい。
パネル厚さ方向一方側のみに面材１９Ｄが設けられたパネル体１０Ｇも同様、芯材１１の上端部１３Ｂを露出させるように面材１９Ｄを設けた構成とされている。
【００６１】
補助面材１９Ｅ，１９Ｆは、これらパネル体１０Ｆ，１０Ｇの面材１９Ｄと同一平面状（面一状）となるように、パネル体１０Ｆ，１０Ｇの芯材１１の上端部１３Ｂ，１３Ｂに固定される。位置決め片部２２Ｂが位置する側に固定される補助面材１９Ｆの上下方向に沿う寸法は、パネル体１０Ｆの面材１９Ｄの上端面から位置決め片部２２Ｂの下端面までの上下方向に沿う寸法に応じた寸法となるように適宜の寸法としてもよい。また、反位置決め片部側に固定される補助面材１９Ｅの上下方向に沿う寸法は、上記第２実施形態と概ね同様、パネル体１０Ｆ，１０Ｇの面材１９Ｄの上端面から天井パネル３の表面までの上下方向に沿う寸法に応じた寸法となるように適宜の寸法としてもよい。また、これら補助面材１９Ｅ，１９Ｆは、施工現場において適宜の寸法に加工されたものとしてもよく、工場等の施工現場外において予め適宜の寸法に加工されたものとしてもよい。
【００６２】
次に、本実施形態に係る内装壁施工方法の一例について図面を参照して説明する。
なお、上記各実施形態との相違点について主に説明し、同様の手順については、その説明を省略または簡略に説明する。
本実施形態においても、パネル体１０Ｆを間仕切状に施工する際には、図１１に示すように、上記同様にして上下の固定部材２０Ｂ，２３Ａを天井側及び床側に固定し、これら上下の固定部材２０Ｂ，２３Ａに対してパネル体１０Ｆを固定する。
そして、上記第２実施形態と概ね同様、パネル体１０Ｆの厚さ方向両側の面材１９Ｄ，１９Ｄの上端と天井パネル３及び位置決め片部２２Ｂとの間において露出する芯材１１を覆うように、パネル体１０Ｆの上端部１３Ｂの厚さ方向両側に補助面材１９Ｅ，１９Ｆを固定する。
そして、パネル体１０Ｆの面材１９Ｄ，１９Ｄ及び補助面材１９Ｅ，１９Ｆの表面並びに位置決め片部２２Ｂにおける天井パネル３よりも下方側に露出する表面２２ｂに一連状に表面化粧シート３０，３０を貼着するようにしてもよい。また、天井パネル３，３にも表面化粧シート３０，３０を貼着するようにしてもよい。
【００６３】
また、図１２に示すように、壁面８に沿わせるようにふかし壁状にパネル体１０Ｇを施工する際も上記と概ね同様にして施工することができる。この例では、上記した図７の例と同様、パネル厚さ方向一方側のみに面材１９Ｄを設けたパネル体１０Ｇを、面材１９Ｄが設けられた側が室内側を向き、面材１９Ｄが設けられていない側が壁面８側を向くように施工する構成としている。また、この例では、上記した図７の例と同様、上端固定部材２０Ｂの位置決め片部２２Ｂと下端固定部材２３Ａの位置決め片部２５Ａとをパネル厚さ方向で異なる位置となるように上端固定部材２０Ｂ及び下端固定部材２３Ａを固定した構成としている。また、この例では、パネル体１０Ｇの厚さ方向一方側（室内側）の面材１９Ｄの上端と天井パネル３との間において露出する芯材１１を覆うように、パネル体１０Ｇの上端部１３Ｂの厚さ方向一方側（室内側）に補助面材１９Ｅを固定した構成としている。
【００６４】
なお、上記のような態様に代えて、上記同様、上下の固定部材２０Ｂ，２３Ａの位置決め片部２２Ｂ，２５Ａを、パネル厚さ方向で一致した位置となるように壁面８側または反壁面側に位置させた態様としてもよい。上端固定部材２０Ｂの位置決め片部２２Ｂを反壁面側に位置させた場合には、パネル体１０Ｇの室内側の面材１９Ｄの上端と位置決め片部２２Ｂとの間において露出する芯材１１を覆うように、パネル体１０Ｇの上端部１３Ｂの室内側に補助面材１９Ｆを固定した構成としてもよい。
また、本実施形態においても、上記第１実施形態と概ね同様、複数枚のパネル体１０Ｆ（１０Ｇ）を直列状に配したり、互いに間隔を空けて配して上記同様な後貼面材を設けた構成としたり、Ｔ字状部やコーナー部を形成するように配したりしてもよい。
本実施形態に係る内装壁装置、内装壁構造及び内装壁施工方法においても、上記各実施形態と概ね同様の効果を奏する。
【００６５】
なお、上記第２実施形態及び第３実施形態では、パネル体１０Ｄ〜１０Ｇの上端側に、天井パネル３（または位置決め片部２２Ｂ）との間において露出する芯材１１を覆うように補助面材１９Ｃ，１９Ｅ，１９Ｆを設けた例を示しているが、このような態様に代えて、または加えて、下端側に設けるようにしてもよい。つまり、パネル体１０Ｄ〜１０Ｇの下端側に、床材７（または位置決め片部２５Ａ）との間において露出する芯材１１を覆うように補助面材１９Ｃ，１９Ｅ，１９Ｆを設けた態様としてもよい。この場合は、下端固定部材２３，２３Ａを、位置決め片部２５，２５Ａが床材７の表面から突出しないように固定されるものとしたり、上記のような下地シートによって表面２５ｂが構成されたものとしたりしてもよい。
【００６６】
次に、上記第２実施形態及び第３実施形態に係る内装壁装置、内装壁構造及び内装壁施工方法の変形例について、図面を参照しながら説明する。
なお、上記第２実施形態及び第３実施形態との相違点について主に説明し、同様の構成については、同一の符号を付し、その説明を省略または簡略に説明する。
【００６７】
図１３は、第２実施形態の第１変形例を模式的に示す図である。
本変形例では、パネル体１０Ｄの下端部１５の反位置決め片部側に、面材１９Ｂの下端と下端固定部材２３の固定片部２４との間において露出する芯材１１（下端部１５）を覆うように、スペーサー２６Ａを設けた構成としている。このようなスペーサー２６Ａを設けた構成とすれば、パネル体１０Ｄの下端部１５の反位置決め片部側に設けられる幅木２９の下端側を安定的に固定することができる。
このスペーサー２６Ａのパネル厚さ方向に沿う寸法は、面材１９Ｂと略同厚さとされている。また、このスペーサー２６Ａの上下方向に沿う寸法は、面材１９Ｂの下端から下端固定部材２３の固定片部２４までの上下方向に沿う寸法に応じた寸法としてもよい。また、このスペーサー２６Ａとしては、面材１９Ｂと同様なボードからなるものでもよく、合板等の木質系ボードからなるものでもよい。
【００６８】
また、本変形例では、このスペーサー２６Ａを介して反位置決め片部側からパネル体１０Ｄの下端部１５を貫通させて下端固定部材２３の位置決め片部２５に止具を止着した構成としている。つまり、本変形例では、位置決め片部２５側から下端部１５に止着した止具に加えて、反位置決め片部側から下端部１５を介して位置決め片部２５に止着した止具によってパネル体１０Ｄの下端部１５を固定した構成としている。このような構成とすれば、パネル体１０Ｄの下端部１５をより強固に固定することができる。また、反位置決め片部側の止具を、スペーサー２６Ａを介して止着しているので、この止具を安定的に止着することができる。
【００６９】
図１４は、第２実施形態の第２変形例を模式的に示す図である。
本変形例では、パネル体１０Ｈの厚さ方向一方側の面材１９Ｇを、芯材１１の下端部１５を覆うように設けた構成としている。つまり、この一方側の面材１９Ｇの下端面と芯材１１の下端面とを概ね同一平面状とした構成としている。このような構成とすれば、上記と概ね同様、パネル体１０Ｈの下端部１５の反位置決め片部側に設けられる幅木２９の下端側を安定的に固定することができる。
また、上記と概ね同様、この一方側の面材１９Ｇの下端部を介して反位置決め片部側から芯材１１の下端部１５を貫通させて下端固定部材２３の位置決め片部２５に止具を止着した構成としている。このような構成とすれば、上記同様の効果を奏する。
【００７０】
図１５は、第３実施形態の第１変形例を模式的に示す図である。
本変形例では、上記した第２実施形態の第１変形例と概ね同様のスペーサー２６Ａを設けた構成としている。つまり、パネル体１０Ｆの下端部１５の反位置決め片部側に、面材１９Ｄの下端と下端固定部材２３Ａの固定片部２４との間において露出する芯材１１（下端部１５）を覆うように、スペーサー２６Ａを設けた構成としている。また、上記同様、このスペーサー２６Ａを介して反位置決め片部側からパネル体１０Ｆの下端部１５を貫通させて下端固定部材２３Ａの位置決め片部２５Ａに止具を止着した構成としている。このような構成とすれば、上記同様の効果を奏する。
【００７１】
図１６は、第３実施形態の第２変形例を模式的に示す図である。
本変形例では、上記した第２実施形態の第２変形例と概ね同様、パネル体１０Ｉの厚さ方向一方側の面材１９Ｈを、芯材１１の下端部１５を覆うように設けた構成としている。また、上記同様、この一方側の面材１９Ｈの下端部を介して反位置決め片部側から芯材１１の下端部１５を貫通させて下端固定部材２３Ａの位置決め片部２５Ａに止具を止着した構成としている。このような構成とすれば、上記同様の効果を奏する。
なお、上記した各実施形態及び各変形例に係る内装壁装置、内装壁構造及び内装壁施工方法における互いに異なる構成や手順を、適宜、組み替えたり、組み合わせたりして適用するようにしてもよい。
【００７２】
また、上記各実施形態及び各変形例では、パネル体１０〜１０Ｉの芯材１１が露出した上下端部１３，１３Ａ，１３Ｂ，１５を、上下の固定部材２０，２０Ａ，２０Ｂ，２３，２３Ａの位置決め片部２２，２２Ａ，２２Ｂ，２５，２５Ａに当接させた構成としているが、このような態様に限られない。つまり、パネル体１０〜１０Ｉの面材１９，１９Ｂ，１９Ｄ，１９Ｇ，１９Ｈが固定された部位を、上下の固定部材２０，２０Ａ，２０Ｂ，２３，２３Ａの位置決め片部２２，２２Ａ，２２Ｂ，２５，２５Ａに当接させた構成としてもよい。
また、上記各実施形態及び各変形例では、上下の固定部材２０，２０Ａ，２０Ｂ，２３，２３Ａの位置決め片部２２，２２Ａ，２２Ｂ，２５，２５Ａのパネル厚さ方向に沿う寸法を、パネル体１０〜１０Ｉの面材１９，１９Ｂ，１９Ｄの厚さ寸法と同寸法とした例を示しているが、このような態様に限られない。例えば、位置決め片部２２，２２Ａ，２２Ｂ，２５，２５Ａのパネル厚さ方向に沿う寸法を、パネル体１０〜１０Ｉの面材１９，１９Ｂ，１９Ｄの厚さ寸法よりも小としたり、大としたりしてもよい。上記各実施形態及び各変形例において説明したパネル体１０〜１０Ｉ及び上下の固定部材２０，２０Ａ，２０Ｂ，２３，２３Ａとしては、その他、種々の変形が可能である。
【符号の説明】
【００７３】
１，１Ａ，１Ｂ          内装壁装置
１０，１０Ａ〜１０Ｉ    パネル体
１１                    芯材
１３，１３Ａ，１３Ｂ    上端部
１５                    下端部
１７                    突部（パネル幅方向一方側端部）
１９，１９Ｂ，１９Ｄ，１９Ｇ，１９Ｈ  面材
１９Ａ                  後貼面材（面材）
１９Ｃ，１９Ｆ          補助面材
２０，２０Ａ，２０Ｂ    上端固定部材
２１，２１Ａ            固定片部
２１ａ                  目印溝
２２，２２Ａ，２２Ｂ    位置決め片部
２２ｂ                  表面
２３，２３Ａ            下端固定部材
２４                    固定片部
２４ａ                  目印溝
２５，２５Ａ            位置決め片部
３０                    表面化粧シート
３                      天井パネル
【図１】
2017082577.tif 000003
【図２】
2017082577.tif 000004
【図３】
2017082577.tif 000005
【図４】
2017082577.tif 000006
【図５】
2017082577.tif 000007
【図６】
2017082577.tif 000008
【図７】
2017082577.tif 000009
【図８】
2017082577.tif 000010
【図９】
2017082577.tif 000011
【図１０】
2017082577.tif 000012
【図１１】
2017082577.tif 000013
【図１２】
2017082577.tif 000014
【図１３】
2017082577.tif 000015
【図１４】
2017082577.tif 000016
【図１５】
2017082577.tif 000017
【図１６】
2017082577.tif 000018